(57)【要約】【課題】電子機器の大型化を招くことなく、表示面を構成するパネル部材に印加された静電気による影響を低減する仕組みを提供する。【解決手段】電子機器に用いられるパネルユニットは、タッチパネル１０８と、タッチパネル１０８の配線部１０８ｃ，１０８ｄに電気的に接続される接続部２０４ａ，２０４ｂを有し、信号線Ｓ及びグランド用配線Ｇが設けられるＦＰＣ１２５と、を備える。ＦＰＣ１２５は、配線部１０８ｃ，１０８ｄに接続された接続部２０４ａ，２０４ｂとタッチパネル１０８の外形部との間に、導体を露出させた導体露出部２０５ａ，２０５ｂ，２０６ａ，２０６ｂを有し、導体露出部２０５ａ，２０５ｂ，２０６ａ，２０６ｂは、信号線Ｓに非導通とされ、グランド用配線Ｇに電気的に接続される。【選択図】図１２
2014123274.tif 000002
【特許請求の範囲】
【請求項１】
画像の表示面を構成するパネル部材と、
前記パネル部材の配線部に電気的に接続される接続部を有し、信号線及びグランド用配線が設けられる信号用配線部材と、を備え、
前記信号用配線部材は、前記配線部に接続された前記接続部と前記パネル部材の外形部との間に、導体を露出させた導体露出部を有し、
前記導体露出部は、前記信号線に非導通とされ、前記グランド用配線に導通されることを特徴とするパネルユニット。
【請求項２】
前記導体露出部は、
前記パネル部材の表側で導体が露出する表側導体露出部と、
前記表側導体露出部の裏側の層で導体が露出して前記表側導体露出部に電気的に接続される裏側導体露出部と、を有することを特徴とする請求項１に記載のパネルユニット。
【請求項３】
前記パネル部材は、タッチパネル又は表示パネルであることを特徴とする請求項１または２に記載のパネルユニット。
【請求項４】
請求項１乃至３のいずれか一項に記載のパネルユニットと、前記パネル部材が収納されるカバー部材とを備えることを特徴とする電子機器。
【請求項５】
前記パネル部材と前記パネル部材が収納される前記カバー部材との間に隙間が形成されるとともに、前記隙間の位置に前記信号用配線部材が配置され、
前記信号用配線部材の前記隙間に対応する位置に前記表側導体露出部が設けられることを特徴とする請求項４に記載の電子機器。
【請求項６】
前記パネル部材と前記パネル部材が収納される前記カバー部材との間に隙間が形成されるとともに、前記隙間の位置に前記信号用配線部材が配置され、
前記信号用配線部材の前記隙間の位置を間に挟んで前記信号線の配線方向の両側にそれぞれ前記表側導体露出部が設けられることを特徴とする請求項４に記載の電子機器。
【請求項７】
前記表側導体露出部は、前記信号線と交差する方向に沿って配置されることを特徴とする請求項５乃至７のいずれか一項に記載の電子機器。
【請求項８】
前記裏側導体露出部は、少なくとも前記接続部の幅方向の両側に沿って配置されることを特徴とする請求項４乃至７のいずれか一項に記載の電子機器。
【発明の詳細な説明】
【技術分野】
【０００１】
本発明は、例えばデジタルビデオカメラ等の撮像装置やスマートフォン、タブレットデバイス等の携帯電話機等の電子機器に搭載されるパネルユニット、及びパネルユニットを備える電子機器に関する。
【背景技術】
【０００２】
デジタルビデオカメラ等の撮像装置やスマートフォン等の携帯電話機等の表示ユニットの表示パネルに搭載されるタッチパネルには、大別して抵抗膜方式及び静電容量方式の２つの方式が採用されている。
【０００３】
一般的に上記２つの方式のタッチパネルにおいては、図２１に示すように、位置検出が可能な位置検出領域の外周に沿って額縁領域が必要となる。
【０００４】
抵抗膜方式のタッチパネルは、上側電極と下側電極が一定間隔を有して固定され、操作者が上側電極を押すことで、上側電極が変形し、上側電極と下側電極が導通する。この導通によって押圧点の位置が検出される。また、上側電極と下側電極を一定間隔で保持するため、位置検出領域の外周には、スペーサ等の保持構造が必要となり、図２１に示す額縁領域には、前記保持構造や信号検出のための配線が配置される（特許文献１）。
【０００５】
一方、静電容量方式のタッチパネルは、操作者の指先と導電膜との間の静電容量の変化を検出することで位置検出を行う（特許文献２）。
【０００６】
そして、一般的に、上述した２つの方式のタッチパネルは、タッチパネルからの出力信号を別基板などに実装された駆動回路などに伝えるために、配線部材が接続され、配線部材は、額縁領域から突出して設けられる。
【０００７】
配線部材は、一般的にはＦＰＣ（フレキシブルプリント基板）などによって形成されている。そして、タッチパネルの導電膜の露出部に、配線部材の一端を固着して電気的、機械的に接続し、配線部材の他端の端子部は、駆動回路などが実装された回路基板にコネクタやハンダ等によって接続される。
【０００８】
ところで、タッチパネルを使用する際には、接触する指やペン等は静電気を帯電していることが多い。このため、指やペン等がタッチパネル表面に接触した際に、帯電した静電気によるノイズが導電膜の露出部や配線部材を経由してタッチパネルや回路基板に伝わり、位置検出精度の悪化や誤動作を誘発するおそれがある。
【０００９】
かかる静電気対策として、避雷針となる導電体を導電膜の露出部の上に配置し、さらに導電体を導電性を有する筺体に接続することで、静電気を筺体側に誘導して、静電気による影響を低減する技術が提案されている（特許文献３）。
【先行技術文献】
【特許文献】
【００１０】
【特許文献１】特開２０００−３０５７１５号公報
【特許文献２】特開２０１０−３９５１５号公報
【特許文献３】特開２００２−３２３６９１号公報
【発明の概要】
【発明が解決しようとする課題】
【００１１】
しかし、上記特許文献３では、指やペン等に帯電した静電気は、タッチパネルの表面側から印加される。このため、避雷針となる導電部は、導電膜や配線部材に対して表面側に配置する必要があり、表示ユニットの大型化ひいては電子機器の大型化を招く。また、近年のデジタルビデオカメラや携帯電話機等では、タッチパネルの表面と外装カバーの面を略同一高さにしたフラットパネル方式の表示ユニットが採用されている。このような表示ユニットでは、上述した避雷針となる導電部を設けることは困難である。
【００１２】
そこで、本発明は、電子機器の大型化を招くことなく、表示面を構成するパネル部材に印加された静電気による影響を低減する仕組みを提供することを目的とする。
【課題を解決するための手段】
【００１３】
上記目的を達成するために、本発明のパネルユニットは、画像の表示面を構成するパネル部材と、前記パネル部材の配線部に電気的に接続される接続部を有し、信号線及びグランド用配線が設けられる信号用配線部材と、を備え、前記信号用配線部材は、前記配線部に接続された前記接続部と前記パネル部材の外形部との間に、導体を露出させた導体露出部を有し、前記導体露出部は、前記信号線に非導通とされ、前記グランド用配線に導通されることを特徴とする。
【発明の効果】
【００１４】
本発明によれば、電子機器の大型化を招くことなく、表示面を構成するパネル部材に印加された静電気による影響を低減することができる。
【図面の簡単な説明】
【００１５】
【図１】本発明の電子機器の第１の実施形態であるデジタルビデオカメラの制御系の概略ブロック図である。
【図２】（ａ）は本実施形態に係るデジタルビデオカメラを正面側から見た外観斜視図、（ｂ）は（ａ）に示すデジタルビデオカメラを背面側から見た外観斜視図である。
【図３】カメラ本体に対して表示ユニットを反転収納した状態を示す外観斜視図である。
【図４】表示ユニットを表示面側から見た外観斜視図である。
【図５】図４に示す表示ユニットの分解斜視図である。
【図６】表示ユニットの内側カバーを示す斜視図である。
【図７】表示ユニットから外側カバーを取り外した状態を示す斜視図である。
【図８】図４のＣ−Ｃ断面図である。
【図９】図８の部分拡大図である。
【図１０】（ａ）はタッチパネル信号用のＦＰＣの断面構造を模式的に示す図である。（ｂ）はＦＰＣの表側カバーフィルムと第１の銅箔層を模式的に示す図である。
【図１１】（ａ）はＦＰＣの第２の銅箔層を模式的に示す図である。（ｂ）は表側導体露出部と端面導体露出部との関係を模式的に示す図である。
【図１２】ＦＰＣをタッチパネルに取り付けた状態を模式的に示す図である。
【図１３】本発明の電子機器の第２の実施形態であるスマートフォンの制御系の概略ブロック図である。
【図１４】本実施形態に係るスマートフォンの外観斜視図である。
【図１５】本実施形態に係るスマートフォンの分解斜視図である。
【図１６】図１４のＰ−Ｐ線断面を模式的に示す図である。
【図１７】（ａ）は表側導体露出部と端面導体露出部との関係を模式的に示す図、（ｂ）はＦＰＣをタッチパネルに取り付けた状態を模式的に示す図である。
【図１８】本発明の電子機器の第３の実施形態であるデジタルビデオカメラの制御系の概略ブロック図である。
【図１９】（ａ）は本実施形態に係るデジタルビデオカメラを正面側から見た外観斜視図である。（ｂ）は（ａ）に示すデジタルビデオカメラを背面側から見た外観斜視図である。
【図２０】表示ユニットの分解斜視図である。
【図２１】従来例において、タッチパネルの位置検出領域と額縁領域とを説明するための図である。
【発明を実施するための形態】
【００１６】
以下、本発明の実施形態を図面を参照して説明する。
【００１７】
（第１の実施形態）
図１は、本発明の電子機器の第１の実施形態であるデジタルビデオカメラの制御系の概略ブロック図である。
【００１８】
図１において、ＣＰＵ１０９は、プログラム・データ記憶部１１０からプログラムを読み込み、読み込まれたプログラムに従ってデジタルビデオカメラ全体の動作を制御する。プログラム・データ記憶部１１０から読み込まれたプログラムは、ＣＰＵ１０９に複数のタスクを並列に実行させるための機能を備えている。ＣＰＵ１０９は、このプログラムの実行することによって、モード制御タスク、カメラ制御タスク、レコーダ制御タスク、及び表示制御タスクが動作を制御する。また、一次記憶部１０３の一部は、ＣＰＵ１０９のワーク領域として機能し、動画用フレームバッファ、及びＯＳＤ用フレームバッファを提供する。
【００１９】
カメラ部１０１は、被写体光を結像させるための撮影レンズ（不図示）、撮影レンズによって結像された被写体像を光電変換する撮像素子（不図示）、撮像素子を駆動する回路（不図示）などを備える。不図示の撮像素子は、被写体像を光電変換することによりアナログ映像信号を生成する。
【００２０】
映像処理部１０２は、カメラ部１０１から出力されるアナログ映像信号をデジタル信号に変換し、所定の信号処理を施して動画データを生成する。カメラ部１０１及び映像処理部１０２の動作は、ＣＰＵ１０９が実行する上述したカメラ制御タスクによって制御される。
【００２１】
エンコーダ・デコーダ部１０４は、映像処理部１０２からの動画データを符号化する。エンコーダ・デコーダ部１０４によって符号化された動画データは、一次記憶部１０３に一旦記憶されたのち、付随する管理データとともに動画記憶部１０５に記憶される。動画記憶部１０５は、ハードディスクやフラッシュメモリなどの内蔵メモリや、メモリーカードなどの着脱可能な記録媒体からなる。
【００２２】
動画再生時は、動画記憶部１０５から読みだされた符号化された画像データが一次記憶部１０３を介してエンコーダ・デコーダ部１０４で復号化され、再び一次記憶部１０３の動画用フレームバッファに展開される。エンコーダ・デコーダ部１０４、及び動画記憶部１０５の制御は、ＣＰＵ１０９が実行する上述したレコーダ制御タスクによって制御される。
【００２３】
動画記憶部１０５から読みだされた管理データは、ＯＳＤ（Ｏｎ  Ｓｃｒｅｅｎ  Ｄｉｓｐｌａｙ）データ、すなわち、撮影画像もしくは再生画像に重畳して表示される文字やＧＵＩ（Ｇｒａｐｈｉｃａｌ  Ｕｓｅｒ  Ｉｎｔｅｒｆａｃｅ）の生成に利用される。そして、生成されたＯＳＤデータは、一次記憶部１０３のＯＳＤ用フレームバッファに描画される。
【００２４】
動画用フレームバッファ、及びＯＳＤ用フレームバッファの各内容は、表示制御部１１１で重畳されて、ＬＣＤ等で構成される表示パネル１１２に表示される。ＯＳＤデータに関する制御、及び表示制御部１１１と表示パネル１１２の制御は、ＣＰＵ１０９が実行する上述した制御タスクによって制御される。
【００２５】
カメラ本体１１４に設けられた操作キー１０７や、表示ユニット１１３におけるタッチパネル１０８は、いずれも操作者による操作指示を受け付けるための操作手段である。本実施形態では、タッチパネル１０８は、静電容量方式のタッチパネルとする。
【００２６】
図２（ａ）は、デジタルビデオカメラを正面側から見た外観斜視図である。図２（ｂ）は、図２（ａ）に示すデジタルビデオカメラを背面側から見た外観斜視図である。図３は、カメラ本体１１４に対して表示ユニット１１３を反転収納した状態を示す外観斜視図である。
【００２７】
図２に示すように、デジタルビデオカメラは、カメラ部１０１を有するカメラ本体１１４と、ヒンジ部１２０を介してカメラ本体１１４に対して図２（ｂ）の矢印Ａ方向に開閉可能に支持される表示ユニット１１３とを有する。表示ユニット１１３は、開き状態で、図２（ｂ）の矢印Ｂ方向に回転可能とされている。従って、表示ユニット１１３は、図３に示すように、カメラ本体１１４に対して反転させた状態で収納することも可能である。
【００２８】
表示ユニット１１３には、表示パネル１１２とタッチパネル１０８とが一体に内蔵される。タッチパネル１０８は、位置検出領域１０８ａが例えば光の透過率が表示パネル１１２の表示を妨げないように構成され、表示パネル１１２の表示面の上層に設けられる。
【００２９】
ＣＰＵ１０９によって制御されるタッチパネル制御部１２１は、タッチパネル１０８における入力座標と、表示パネル１１２の表示座標とを対応付ける。また、タッチパネル制御部１２１は、タッチパネル１０８に対する操作を検出する。これにより、操作者は表示パネル１１２に表示された情報に基づいてタッチパネル１０８を制御できる。こうすることによって、操作者が表示パネル１１２に表示された画面を直接的に操作できるＧＵＩを構成する。
【００３０】
具体的には、タッチパネル制御部１２１は、タッチパネル１０８を指やペンで触れたこと（以下、タッチダウン）を検出し、タッチパネル１０８を指やペンで触れている状態であること（以下、タッチオンという。）を検出する。また、タッチパネル制御部１２１は、タッチパネル１０８を指やペンで触れたまま移動していること（以下、ムーブという。）を検出し、タッチパネル１０８へ触れていた指やペンを離したこと（以下、タッチオフという。）を検出する。これらの操作やタッチパネル１０８に指やペンが触れている位置座標は、タッチパネル制御部１２１に通知される。タッチパネル制御部１２１は、通知された情報に基づいてタッチパネル１０８でどのような操作が行われたかを判定する。
【００３１】
ムーブについては、タッチパネル制御部１２１は、タッチパネル１０８で移動する指やペンの移動方向についても、位置座標の変化に基づいてタッチパネル１０８の垂直成分・水平成分毎に判定する。
【００３２】
また、タッチパネル１０８において、タッチダウンから一定のムーブを経てタッチアップをしたとき、タッチパネル制御部１２１は、ストロークを描いたと判定する。すばやくストロークを描く操作をフリックと呼ぶ。フリックは、タッチパネル１０８に指を触れたまま有る程度の距離だけすばやく動かしてそのまま離す操作であり、言い換えればタッチパネル１０８を指で弾くように素早くなぞる操作である。
【００３３】
タッチパネル制御部１２１は、所定距離以上を所定速度以上でムーブしたことが検出し、そのままタッチアップを検出すると、フリックが行われたと判定する。また、タッチパネル制御部１２１は、所定距離以上を所定速度未満でムーブしたことを検出した場合は、ドラッグが行われたと判定する。
【００３４】
ＣＰＵ１０９によって実行される上述したモード制御タスクは、次のように動作する。すなわち、操作キー１０７やタッチパネル１０８からの指示、他タスクからの要求、あるいはモード制御タスク自身が管理する内部状態の変化に従って、デジタルビデオカメラ全体の動作状態を遷移させ、各タスクイベントを通知する。
【００３５】
図４は、表示ユニット１１３を表示面側から見た外観斜視図である。図５は、図４に示す表示ユニット１１３の分解斜視図である。図６は、表示ユニット１１３の内側カバー１２３を示す斜視図である。図７は、表示ユニット１１３から外側カバー１２２を取り外した状態を示す斜視図である。
【００３６】
図４及び図５に示すように、表示ユニット１１３は、タッチパネル１０８、内側カバー１２３、表示パネル１１２、基板１２４、及び外側カバー１２２を備える。
【００３７】
タッチパネル１０８には、位置検出領域１０８ａで検知された出力信号を基板１２４に伝えるためのタッチパネル信号用配線部材の一例としてのＦＰＣ１２５が電気的に接続されてユニット化される。ここで、タッチパネル１０８は、本発明のパネル部材の一例に相当し、タッチパネル１０８にＦＰＣ１２５が電気的に接続されたユニットは、本発明のパネルユニットの一例に相当する。
【００３８】
図６に示すように、内側カバー１２３の中央部には、表示パネル１１２に対応する開口部１２３ｃが形成される。開口部１２３ｃにより、表示パネル１１２に表示する映像がタッチパネル１０８の位置検出領域１０８ａと重なって、操作者は表示パネル１１２に表示する映像を視認できる。
【００３９】
内側カバー１２３の表面側の開口部１２３ｃの周囲には、タッチパネル１０８が収納される収納凹部１２３ｂが形成されている。また、内側カバー１２３の収納凹部１２３ｂの一側（図６の左側）の側壁には、ＦＰＣ１２５を通すための挿通孔１２３ａが形成されている。
【００４０】
そして、タッチパネル１０８は、挿通孔１２３ａにＦＰＣ１２５を通した状態で、収納凹部１２３ｂに両面テープや接着剤等を介して収納されて固定される。かかる固定状態では、内側カバー１２３の外装面とタッチパネル１０８の表面は、略同一面とされる。ここで、内側カバー１２３は、本発明のカバー部材の一例に相当する。
【００４１】
表示パネル１１２は、内側カバー１２３の背面側に配置される。表示パネル１１２には、表示パネル信号用配線部材の一例としてのＦＰＣ１２６が固定されている。ＦＰＣ１２６によって、基板１２４からの映像に応じた電気信号が表示パネル１１２に伝えられる。
【００４２】
基板１２４は、図５及び図７に示すように、表示パネル１１２の背面側に配置され、不図示のビス等により内側カバー１２３に固定される。基板１２４には、タッチパネル制御部１２１やコネクタ１２４ａ〜１２４ｃ、その他回路部品などが実装されている。
【００４３】
コネクタ１２４ａには、カメラ本体１１４からの電気信号を伝えるための不図示のＦＰＣが接続される。また、コネクタ１２４ｂには、タッチパネル信号を伝えるためのＦＰＣ１２５が接続される。ネクタ１２４ｃには、表示パネル信号を伝えるためのＦＰＣ１２６が接続される。
【００４４】
そして、図５に示すように、外側カバー１２２と内側カバー１２３との間に表示パネル１１２及び基板１２４を配置した状態で、外側カバー１２２が内側カバー１２３にビス等により固定される。
【００４５】
図８は、図４のＣ−Ｃ断面図である。図９は、図８の部分拡大図である。内側カバー１２３の収納凹部１２３ｂにタッチパネル１０８が収納された状態では、図８及び図９に示すように、内側カバー１２３の挿通孔１２３ａ側の側壁とタッチパネル１０８との間に隙間１２７が形成される。
【００４６】
この隙間１２７の奥に配置されるＦＰＣ１２５には、黒色テープ２０７が貼り付けられている。黒色テープ２０７をＦＰＣ１２５に貼り付けることにより、通常ポリイミドで形成される黄色やオレンジ色等の目立つ色のＦＰＣ１２５を操作者から隠すことができる。なお、黒色テープ２０７に代えて、例えばつや消しの黒色塗料をＦＰＣ１２５に塗布するようにしてもよい。なお、図８及び図９では、説明の便宜上、隙間１２７を誇張して表示している。
【００４７】
また、本実施形態では、ＦＰＣ１２５の表側接続部２０４ａが、タッチパネル１０８の表側配線部１０８ｃに電気的及び機械的に接続される。また、ＦＰＣ１２５の裏側接続部２０４ｂが、タッチパネル１０８の裏側配線部１０８ｄに電気的及び機械的に接続される。なお、表側は、タッチパネル１０８の操作面側とする。
【００４８】
図１０（ａ）は、タッチパネル信号用のＦＰＣ１２５の断面構造を模式的に示す図である。図１０（ａ）に示すように、ＦＰＣ１２５は、ポリイミドなどで形成されたベース部材２０１の表裏両側に、それぞれ第１の銅箔層２０２及び第２の銅箔層２０３が積層されている。
【００４９】
第１の銅箔層２０２には、ポリイミドで形成された表側カバーフィルム２００ａが積層されている。第２の銅箔層２０３には、ポリイミドで形成された裏側カバーフィルム２００ｂが積層されている。
【００５０】
図１０（ｂ）は、ＦＰＣ１２５の表側カバーフィルム２００ａと第１の銅箔層２０２を模式的に示す図である。図１０（ｂ）に示すように、ＦＰＣ１２５の黒色テープ２０７を間に挟んでＦＰＣ１２５の配線方向の両側には、表側カバーフィルム２００ａを除去して第１の銅箔層２０２を露出させた表側導体露出部２０５ａ，２０５ｂが設けられている。
【００５１】
図１１（ａ）は、ＦＰＣ１２５の第２の銅箔層２０３を模式的に示す図である。図１１（ａ）に示すように、第２の銅箔層２０３には、タッチパネル１０８の配線部１０８ｃ，１０８ｄと電気的に接続されて、基板１２４にタッチパネル１０８からの信号を伝える信号線Ｓが形成されている。
【００５２】
また、第２の銅箔層２０３の幅方向の両側には、ＦＰＣ１２５の外形部に沿って端面まで導体が露出する端面導体露出部２０６ａ，２０６ｂが設けられている。端面導体露出部２０６ａには、グランド用配線Ｇが接続され、基板１２４のグランドと電気的な接続が確保される。ここで、端面導体露出部２０６ａ，２０６ｂは、本発明の裏側導体露出部の一例に相当する。
【００５３】
図１１（ｂ）は、表側導体露出部２０５ａ，２０５ｂと端面導体露出部２０６ａ，２０６ｂとの関係を模式的に示す図である。
【００５４】
図１１（ｂ）に示すように、表側導体露出部２０５ａ，２０５ｂは、それぞれ複数の信号線Ｓと交差する方向に沿って配置される。また、表側導体露出部２０５ａ，２０５ｂは、端面導体露出部２０６ａ，２０６ｂと重なり合う部分でベース部材２０１を貫通して電気的に接続されている。これにより、表側導体露出部２０５ａ，２０５ｂ及び端面導体露出部２０６ａ，２０６ｂが同一のグランドを確保している。ここで、表側導体露出部２０５ａ，２０５ｂ、及び端面導体露出部２０６ａ，２０６ｂは、それぞれ信号線Ｓに対して非導通とされている。
【００５５】
図１２は、ＦＰＣ１２５をタッチパネル１０８に取り付けた状態を模式的に示す図である。図１２に示すように、本実施形態では、ＦＰＣ１２５の表側接続部２０４ａ及び裏側接続部２０４ｂの外側に、グランド用配線Ｇと電気的に接続された導体露出部がそれぞれ配置されている。これにより、隙間１２７から侵入した静電気を効果的にグランド用配線Ｇに導くことができ、静電気による表示ユニット１１３の誤動作を防止することができる。
【００５６】
以下、図９及び図１２を参照して、具体的に説明する。まず、図９を参照して、隙間１２７から侵入してＦＰＣ１２５の表面を矢印Ｄ方向に基板１２４側に向かおうとする静電気は、表側導体露出部２０５ｂにてグランド用配線Ｇに導かれる。
【００５７】
これにより、静電気がコネクタ１２４ｂの端子部から基板１２４の配線部に侵入するのを回避することができる。この結果、例えば検出位置のズレやタッチパネル制御部１２１の動作停止等の誤動作を防止することができる。
【００５８】
また、隙間１２７から侵入してＦＰＣ１２５の表面を矢印Ｅ方向にタッチパネル１０８側に向かおうとする静電気は、表側導体露出部２０５ａにてグランド用配線Ｇに導かれる。
【００５９】
これにより、静電気が表側接続部２０４ａからＦＰＣ１２５の配線部に侵入して基板１２４に伝わることを回避することができる。上記同様に、静電気による誤動作を防止することができる。
【００６０】
また、図１２に示すＦＰＣ１２５において、タッチパネル１０８の外形部から突出しない部分１２５ｂに静電気が印加された場合は、ＦＰＣ１２５の表側と裏側の双方に静電気が伝わる可能性がある。ＦＰＣ１２５の表側に静電気が伝わった場合は、上述した矢印Ｅ方向と同様にグランド用配線Ｇに導かれる。
【００６１】
一方、ＦＰＣ１２５の裏側に静電気が伝わろうとした場合は、端面導体露出部２０６ｂによってグランド用配線Ｇに導かれる。
【００６２】
これにより、静電気がＦＰＣ１２５の端面を回り込んで、例えば、裏側接続部２０４ｂからＦＰＣ１２５の配線部に侵入して基板１２４に伝わることを回避することができる。上記同様に、静電気による誤動作を防止することができる。
【００６３】
また、表側導体露出部２０５ｂは、ＦＰＣ１２５において、配線部の引き回しのために、コネクタ１２４ｂに接続される部分より外形が部分的に突出した突出部１２５ａにおいても有効である。つまり、突出部１２５ａの近傍に静電気が印加されて矢印Ｈ方向に伝わった場合、表側導体露出部２０５ｂによってグランド用配線Ｇに導かれる。
【００６４】
これにより、静電気がＦＰＣ１２５の突出部１２５ａの図の右側の端面から裏面に回って裏側接続部２０４ｂに伝わるのを回避することができる。
【００６５】
以上説明したように、本実施形態では、表示ユニット１１３ひいてはデジタルビデオカメラの大型化を招くことなく、タッチパネル１０８に印加された静電気による影響を低減することができる。
【００６６】
なお、本実施形態では、内側カバー１２３の挿通孔１２３ａ側の側壁とタッチパネル１０８との間に隙間１２７が形成される場合を例示したが、隙間１２７が形成されない場合も同様の作用効果を奏することができる。
【００６７】
（第２の実施形態）
次に、図１３乃至図１７を参照して、本発明の電子機器の第２の実施形態であるスマートフォンについて説明する。なお、ここでは電子機器の一例として、スマートフォンを例にとって説明するが、通信機能の有無は関係ない。その他にもタブレットデバイス、携帯音楽プレーヤー、ゲーム機、電子書籍端末などの、タッチパネルを備えた電子機器であれば良い。なお、上記第１の実施形態に対して重複又は相当する部分については、各図に同一符号を付してその説明を省略する。
【００６８】
図１３は、本実施形態であるスマートフォンの制御系の概略ブロック図である。図１４は、本実施形態であるスマートフォンの外観斜視図である。図１５は、本実施形態であるスマートフォンの分解斜視図である。
【００６９】
本実施形態のスマートフォンは、図１３乃至図１５に示すように、静電容量方式のタッチパネル１０８、内側カバー１２３、表示パネル１１２、メイン基板３０２、及び外側カバー１２２を備える。
【００７０】
内側カバー１２３のタッチパネル１０８の操作面側には、スピーカ３００及びマイク３０１の他に、カメラ部１０１が設けられている。外側カバー１２２の側面には、電源ボタンとしての操作キー１０７が設けられている。
【００７１】
メイン基板３０２には、図１３に示すように、ＣＰＵ１０９によって制御される通信制御部３０３、通信手段（アンテナ）３０４、及びユーザデータ記憶部３０５等が実装されている。通信制御部３０３は、電話やネットワーク接続などの通信機能全般を制御する。通信手段３０４のアンテナ部は、金属材料では電波が遮断されてしまうため、樹脂材料を用いることが好ましい。
【００７２】
ユーザデータ記憶部３０５は、動画データの他にユーザデータ等を格納する。ユーザデータ記憶部３０５は、例えばカメラ部１０１を介した動画データ以外に通信制御部３０３によって駆動される通信手段３０４を介してダウンロードされた画像データやアプリケーションデータ等の各種データ等をに格納する。なお、メイン基板３０２に実装されるその他の回路部品等は、上記第１の実施形態と同様である。
【００７３】
内側カバー１２３に設けられたカメラ部１０１、スピーカ３００、及びマイク３０１は、ＦＰＣ等の不図示の配線部材によってメイン基板３０２に接続される。また、外側カバー１２２に設けられた操作キー１０７も不図示の配線部材によってメイン基板３０２に接続される。
【００７４】
図１６は、図１４のＰ−Ｐ線断面を模式的に示す図である。図１６に示すように、本実施形態では、隙間１２７の奥に表側導体露出部２０５ｃが配置されている。
【００７５】
図１７（ａ）は、表側導体露出部２０５ａ〜２０５ｃと端面導体露出部２０６ａ，２０６ｂとの関係を模式的に示す図である。
【００７６】
図１７（ａ）に示すように、本実施形態では、３つの表側導体露出部２０５ａ〜２０５ｃを設け、表側導体露出部２０５ａ〜２０５ｃは、それぞれ信号線Ｓと交差するように配置される。また、表側導体露出部２０５ａ〜２０５ｃと端面導体露出部２０６ａ，２０６ｂとは、互いに重なり合う部分でベース部材２０１を貫通して電気的に接続されている。これにより、表側導体露出部２０５ａ〜２０５ｃ及び端面導体露出部２０６ａ，２０６ｂが同一のグランドを確保し、かつグランド用配線Ｇと電気的に接続される。
【００７７】
図１７（ｂ）は、ＦＰＣ１２５をタッチパネル１０８に取り付けた状態を模式的に示す図である。
【００７８】
図１７（ｂ）に示すように、本実施形態では、隙間１２７に対応する位置にＦＰＣ１２５の表側導体露出部２０５ｃが配置されている。これにより、隙間１２７から侵入した静電気を表側導体露出部２０５ｃを介してグランド用配線Ｇに導くことができる。また、隙間１２７に対応する位置以外の位置、例えば図１７（ｂ）の位置ＩでＦＰＣ１２５に静電気が印加されると、静電気は、矢印Ｊ方向又は矢印Ｋ方向に伝わる。矢印Ｋ方向に伝わった静電気は、表側導体露出部２０５ｂによってグランド用配線Ｇに導かれる。矢印Ｊ方向に伝わった静電気は、ＦＰＣ１２５の端面で裏面側へ回り込んで端面導体露出部２０６ｂによってグランド用配線Ｇに導かれる。
【００７９】
以上説明したように、本実施形態では、スマートフォンの大型化を招くことなく、タッチパネル１０８に印加された静電気による影響を低減することができる。その他の構成、及び作用効果は、上記第１の実施形態と同様である。
【００８０】
（第３の実施形態）
次に、図１８乃至図２０を参照して、本発明の電子機器の第３の実施形態であるデジタルビデオカメラについて説明する。なお、上記第１の実施形態に対して重複又は相当する部分については、各図に同一符号を付してその説明を省略する。
【００８１】
図１８は、デジタルビデオカメラの制御系の概略ブロック図である。図１９（ａ）は、デジタルビデオカメラを正面側から見た外観斜視図である。図１９（ｂ）は、図１９（ａ）に示すデジタルビデオカメラを背面側から見た外観斜視図である。
【００８２】
本実施形態では、表示ユニット１１３の表示パネル４０１として、有機ＥＬ（Ｏｒｇａｎｉｃ  Ｅｌｅｃｔｒｏ−Ｌｕｍｉｎｅｓｃｅｎｃｅ）パネルを採用している。また、表示ユニット１１３には、タッチパネルは搭載されず、操作手段としての十字キー４００が搭載されている。
【００８３】
十字キー４００は、上下左右方向の押し込み操作により５種類の動作を選択可能とされている。この５種類の動作に応じた出力信号に基づいて、ＣＰＵ１０９は、表示パネル４０１に表示されたカーソル等の移動及び選択等の各種動作を制御する。
【００８４】
図２０は、表示ユニットの分解斜視図である。図２０に示すように、表示パネル４０１の表示領域の外側には、額縁領域４０１ａが設けられる。額縁領域４０１ａには、配線部等が配置される。本実施形態では、額縁領域４０１ａは、表示パネル４０１の最表面となるカバーガラスに黒色の塗料を矩形枠状に印刷することで形成している。
【００８５】
また、表示パネル４０１の背面側（外側カバー１２２側）には、各発光素子を駆動するための不図示の駆動回路が設けられる。駆動回路には、表示パネル信号用のＦＰＣ４０２が電気的に接続されて、表示パネル４０１はユニット化される。ここで、表示パネル４０１は、本発明のパネル部材の一例に相当する。表示パネル４０１にＦＰＣ４０２が電気的に接続されたユニットは、本発明のパネルユニットの一例に相当する。
【００８６】
内側カバー１２３には、十字キー４００と不図示の検出スイッチを実装した基板が設けられ、これらはＦＰＣ等の不図示の配線部材によって基板１２４に接続される。また、内側カバー１２３には、収納凹部１２３ｂが形成されている。表示パネル４０１は、収納凹部１２３ｂに不図示の両面テープなどで固定される。
【００８７】
なお、ＦＰＣ４０２は、上記第１の実施形態のＦＰＣ１２５と同様に、凹部１２３ｂの側壁に形成された挿通孔１２３ａ（図６参照）を通して基板１２４に接続される。十字キー４００は、隙間１２７の近傍に配置される。
【００８８】
表示パネル信号用のＦＰＣ４０２に設けられる静電気対策の構造は、上記第１の実施形態の図１０乃至図１２に示すＦＰＣ１２５と同一であるため、その説明は省略する。なお、本実施形態では、表示ユニット１１３で操作者の指が触れる位置は、十字キー４００の近傍である。このため、十字キー４００近傍の隙間１２７に対応する位置にのみ導体露出部を形成することも可能である。
【００８９】
以上説明したように、本実施形態では、表示ユニット１１３ひいてはデジタルビデオカメラの大型化を招くことなく、表示パネル４０１に印加された静電気による影響を低減することができる。その他の構成、及び作用効果は、上記第１の実施形態と同様である。
【００９０】
なお、本発明の構成は、上記各実施形態に例示したものに限定されるものではなく、材質、形状、寸法、形態、数、配置箇所等は、本発明の要旨を逸脱しない範囲において適宜変更可能である。
【００９１】
例えば、図９に示すＦＰＣ１２５の接続部２０４ａ，２０４ｂとタッチパネル１０８の配線部１０８ｃ，１０８ｄとの接続を、ＦＰＣ１２５の表側のみ、或いは裏側のみにて接続することも可能である。
【００９２】
また、タッチパネル１０８の配線部１０８ｃ，１０８ｄとＦＰＣ１２５の接続部２０４ａ，２０４ｂの形状を各々櫛歯状に形成して同一面内で交互に咬み合わせることで、重なり合うことなく接合することも可能である。
【００９３】
また、表側導体露出部２０５ａ，２０５ｂを信号線Ｓと交差する部分のみに配置し、残りを全て端面導体露出部２０６ａ，２０６ｂとすることも可能である。端面導体露出部２０６ａ，２０６ｂの全てを表側も露出させることも可能である。また、例えば、信号線Ｓの最も外側となる両側部に別途グランド用配線を設け、信号線Ｓへと至る部分のみを保護するように表側導体露出部のみを設けることも可能である。
【００９４】
また、タッチパネルや表示パネル自身のグランド用配線に導体露出部を電気的に接続することも可能である。これにより、配線数の増加を抑制することが可能である。
【００９５】
また、タッチパネル１０８を静電容量方式に代えて抵抗膜方式などとすることも可能である。
【００９６】
また、内側カバー１２３や外側カバー１２２の材料として非導通性の樹脂材料を用いているが、金属材料を用いることも可能である。金属材料の場合、内部フレームや基板のグランドと接続することが困難な場合などでは有効である。
【００９７】
また、本実施形態では、フラットパネル方式を例示したが、これに限定されない。
【符号の説明】
【００９８】
１０１  カメラ部
１０８  タッチパネル
１０８ｃ  配線部
１０８ｄ  配線部
１１２  表示パネル
１１３  表示ユニット
１１４  カメラ本体
１２１  タッチパネル制御部
２０５ａ，２０５ｂ，２０５ｃ  表側導体露出部
２０６ａ，２０６ｂ  端面導体露出部
【図１】
2014123274.tif 000003
【図２】
2014123274.tif 000004
【図３】
2014123274.tif 000005
【図４】
2014123274.tif 000006
【図５】
2014123274.tif 000007
【図６】
2014123274.tif 000008
【図７】
2014123274.tif 000009
【図８】
2014123274.tif 000010
【図９】
2014123274.tif 000011
【図１０】
2014123274.tif 000012
【図１１】
2014123274.tif 000013
【図１２】
2014123274.tif 000014
【図１３】
2014123274.tif 000015
【図１４】
2014123274.tif 000016
【図１５】
2014123274.tif 000017
【図１６】
2014123274.tif 000018
【図１７】
2014123274.tif 000019
【図１８】
2014123274.tif 000020
【図１９】
2014123274.tif 000021
【図２０】
2014123274.tif 000022
【図２１】
2014123274.tif 000023